(57)【要約】本発明は、インターネットを用いた認証サイン券発行システム及びその方法に関するものである。このサイン券発行システムは、主としてクライアントシステム（１００）とサーバシステム（２００）から構成される。前記クライアントシステム（１００）は、多様なＷｅｂページを表示するＷｅｂブラウザ（１０１）と、会員ＩＤやパスワードなどのクライアント識別情報（１０２）と、インターネット接続手段とを備える。サーバシステム（２００）は、クライアントシステム（１００）にインターネットを介して接続される。サーバシステム（２００）は、サイン券注文書式を含む多数のＷｅｂページ（２０１）と、ＨＴＴＰ情報により適切なＷｅｂページ（２０１）を抽出伝送するサーバエンジン（２０２）と、クライアントシステム（１００）によりクライアント識別情報（１０２）が要求されたときに伝送される情報入力書式（２０３）と、各種情報の組み合わせおよび抽出を行う多数のデータベース（２０４）〜（２０７）とを含む。
2004505382.tif 000002
【特許請求の範囲】
【請求項１】
複数のウェブページを表示するウェブブラウザ（１０１）と、会員ＩＤやパスワードなどのクライアント識別情報（１０２）と、インターネット接続手段とを備えたクライアントシステム（１００）と、
前記クライアントシステム（１００）とインターネットを介して接続されると共に、サイン券注文書式を含む複数のウェブページ（２０１）と、前記クライアントシステム（１００）によって要求されたハイパーテキスト転送プロトコル情報に応じた適切なウェブページ（２０１）を選択し伝送するサーバエンジン（２０２）と、クライアントシステム（１００）がサーバエンジン（２０２）に接続されクライアント識別情報（１０２）がクライアントシステム（１００）により要求されたときに様々な形式で送信可能な情報入力書式（２０３）と、前記サーバエンジン（２０２）の駆動により各種情報の組み合わせ及び抽出を行う複数のデータベース（２０４）〜（２０７）とを含むサーバシステム（２００）とを備えたことを特徴とする、インターネットを用いた認証サイン券取引システム。
【請求項２】
前記データベース（２０４〜２０７）は、
クライアントシステム（１００）がサーバシステム（２００）にアクセスしてクライアント識別情報（１０２）を送信したときに、サービス利用者の基本的な個人情報と共にクライアント識別情報（１０２）を格納する会員情報データベース（２０４）と、
応募受付中或いは応募受付を終了したサイン券情報であって、前記クライアントシステム（１００）のウェブブラウザ（１０１）に伝送される様々なウェブページ（２０１）を介して取得できるサイン券情報を提供および格納する提供サイン券データベース（２０５）と、
前記提供サイン券データベース（２０５）をサーバシステム（２００）を介して検索し、検索された情報に応じて提供サイン券を注文したクライアントの情報を格納する応募者データベース（２０６）と、
対応するサイン券が登録されているか否かに応じてクライアントシステム（１００）から共同申込注文を受信し、その共同注文情報を格納する共同注文データベース（２０７）とを備えた、請求項１に記載のインターネットを用いた認証サイン券取引システム。
【請求項３】
ａ）サービス利用者がコンピュータ端末機上でウェブブラウザを操作し、ウェブブラウザから要求されるハイパーテキスト転送プロトコル（ＨＴＴＰ）に応じたＵＲＬ情報を入力することによりサービス提供者のウェブサーバにアクセスするステップ（Ｓ１００）と、
ｂ）サーバシステムで認証された識別情報をＣＧＩプログラムに伝送するステップ（Ｓ１０２）と、
ｃ）サービス利用者が認証されると、複数のサイン券の公募とその情報が要約された応募画面を、各クライアントシステムのウェブブラウザに表示するステップ（Ｓ１０５）と、
ｄ）サービス利用者のウェブブラウザに表示された前記応募画面からマウスクリックによって選択された署名者情報を表示するステップ（Ｓ１０６）と、
ｅ）前記クライアントシステムにより前記署名者情報が確認されると、前記サーバシステムが、複数種類のサイン券書式をクライアントシステムのウェブブラウザに伝送して表示するステップ（Ｓ１０７）と、
ｆ）前記クライアントシステムが前記サイン券書式の中から所望のサイン券書式を選択すると、前記クライアント識別情報に基づき、前記利用者が選択したサイン券を注文可能であることを表すフラグ指示を、サーバシステムにより生成し、複数の情報入力書式から配送情報書式を表示することによりクライアントシステムへ地域配送情報の入力を要求するステップ（Ｓ１０８）と、
ｇ）前記配送情報書式に入力された地域配送情報とクライアントシステムのクライアント識別情報が、サイン券の申込み注文を試みるためにサーバシステムに伝送されると、前記サーバシステムが前記クライアントシステムよりクライアント識別情報を再度受信し、当該サービス利用者が応募者として最終確認されると、前記サービス利用者に応募注文内容を確認させるステップ（Ｓ１０９）と、
ｈ）ウェブブラウザに表示された前記応募注文内容を前記提供サイン券データベースに格納するステップ（Ｓ１１０）とを含むことを特徴とする、インターネットを用いた認証サイン券取引方法。
【請求項４】
サービス提供者のホームページが表示されたとき、サービス利用者のクライアントシステムのウェブブラウザに表示されるウェブページ内の利用者識別情報欄に入力された当該サービス利用者のクライアント識別情報を識別し、当該利用者が会員加入しているか否かをサーバシステムにより判断するステップ（Ｓ１０１）をさらに含む、請求項３に記載のインターネットを用いた認証サイン券取引方法。
【請求項５】
前記クライアント識別情報が認証されなかったとき、サーバシステムから提供される情報入力書式にサービス利用者の会員識別子（ＩＤ）とパスワードを入力して会員加入を行うステップ（Ｓ１０３）と、
サーバシステムからサービス利用者が認証を受けると、当該利用者の基本的会員情報をサーバシステムの会員情報データベースに格納するステップ（Ｓ１０４）とをさらに含む、請求項３に記載のインターネットを用いた認証サイン券取引方法。
【請求項６】
ａ）クライアントシステムからサイン券の申込み注文が行われると、サーバシステムが、サイン券の申込み注文、サイン券の注文数及び受取人などのクライアントシステムに関わる具体的な注文情報を統合して注文情報を生成し、各クライアントシステムの注文情報を応募者データベースに格納し、応募者情報に応じて応募されたサイン券の割当てを行うステップ（Ｓ２００）と、
ｂ）応募割当て方法が決定されたとき、該当サイン券を第１位に選択したクライアントシステム情報を応募者データベースから選択し、選択したクライアントシステムを優先的に第１位配当者として指定するステップ（Ｓ２０３）と、
ｃ）第１位配当者のリストを、サーバシステムのウェブページを介してウェブサイト上に表示すると共にクライアントシステムに伝送し、配当結果を当該クライアントシステムへ電子メールによって通知するステップ（Ｓ２０４）と、
ｄ）前記クライアントシステムへ、サイン券の枚数に応じた申込サイン券の金額の支払いを要求するステップ（Ｓ２０５）と、
ｅ）サービス提供者が有するデータベースまたは金融機関のコンピュータ網を介して、クライアントシステムからの支払いを確認するステップ（Ｓ２０６）とを含むことを特徴とする、インターネットを用いた認証サイン券取引方法。
【請求項７】
申込みがあったサイン券の割当てを、サービス提供者の規約に従って、抽選或いは先着順により行うステップ（Ｓ２０１、Ｓ２０２）をさらに含む、請求項６に記載のインターネットを用いた認証サイン券取引方法。
【請求項８】
前記第１位配当者の支払いが確認されると、サーバシステムの会員情報データベースに格納された基本会員情報と応募者データベースに格納された具体的な申込み注文情報との組合わせおよび抽出により得られた情報に基づいて、サイン券申込みの勝者へ、郵便または所定の配送手段により、申込まれたサイン券を発送するステップ（Ｓ２０７）と、
第１位配当者の支払いが一定の期間確認されなければ、第２位の応募者を第２位配当者として、申込みがあったサイン券の割当てを行うステップ（Ｓ２０８）とをさらに含む、請求項６に記載のインターネットを用いた認証サイン券取引方法。
【請求項９】
ａ）サービス利用者の各クライアントシステムによりサービス提供者のサーバシステムにアクセスし、ウェブブラウザを介してクライアント識別情報をサーバシステムへ伝送し、ログイン手続きを行うステップ（Ｓ３００）と、
ｂ）前記サービス利用者が前記サーバシステムへ共同注文用のウェブページの伝送を要求すると、複数のウェブページから選択された共同注文申込書式を抽出し、クライアントシステムのウェブブラウザに前記共同注文申込書式を表示するステップ（Ｓ３０１）と、
ｃ）サービス提供者が、サーバシステムによって前記ウェブブラウザに提供された共同注文申込書式に、クライアントシステムから提供された人物情報またはサーバシステムより指定された署名提供者の人物情報を登録するステップ（Ｓ３０２）と、
ｄ）前記クライアントシステムに共同注文申込書式の作成を要求するステップ（Ｓ３０３）と、
ｅ）共同注文されたサイン券の各適切価格および各注文期間を、所定の共同注文状況ウィンドウに入力するステップ（Ｓ３０４）と、
ｆ）前記一連のステップによって共同注文を完了するステップ（Ｓ３０５）とを含むことを特徴とする、インターネットを用いた認証サイン券取引方法。
【発明の詳細な説明】
技術分野
本発明のインターネットを用いた認証サイン券取引システム及びその方法では、サービス提供者が、有名芸能人や著名人などから直筆署名を受けたサイン券を偽造不可能な特殊用紙で製作し、インターネットを介して限定数量のみをサービス利用者と取引することにより、サイン券に金銭的価値を与えると共に、認証された署名によってサイン券に価値と商品性を与える。
【０００１】
背景技術
本発明は、有名芸能人や著名人などの真正サイン（認証されたサイン）をインターネットを介して取引するためのシステムおよび方法に関するもので、より詳細には、インターネットを介してサービス提供者のＷｅｂサーバに接続されたサービス利用者が有名人の申込み受付中のサイン券を注文し、サービス提供者が、偽造不可能な特殊用紙を用いて注文されたサイン券を製作し、サービス利用者からサインの料金を授受してサインを配送することにより、紙幣と同程度の精密印刷紙に印刷された有名人の直筆署名によるサイン券の価値と商品性を保証できるようにしたインターネットを用いたサイン券取引システム及びその方法に関するものである。
【０００２】
当業者に良く知られているように、インターネットは、米国防省の高等研究計画局（ＤＡＲＰＡ：Ｄｅｆｅｎｓｅ Ａｄｖａｎｃｅｄ Ｒｅｓｅａｒｃｈ Ｐｒｏｊｅｃｔｓ Ａｇｅｎｃｙ）によって軍事的な目的で効率よく情報を共有するために作られたＡｍｅｒｉｃａｎ Ｐｕｂｌｉｃ Ｐｏｗｅｒ Ａｓｓｏｃｉａｔｉｏｎ Ｎｅｔｗｏｒｋ （ＡＲＰＡＮＥＴ）を起源とする。インターネットは、発展を重ね、現在は、メール、ニュースグループ、Ｗｅｂサービス、および情報の収集などを含むコンピュータ間の通信や、企業や個人の広報手段といった様々な用途に、世界各地で活用されている。
【０００３】
インターネットの用途が当初の特定使用目的から外れ、インターネット使用者の数が急激に増加したことにより、インターネットを介した商業化も高速に拡大されつつあり、様々な形のインターネットビジネスが提案され、実用化されている。
【０００４】
インターネットビジネスは、情報提供（ＩＰ：Ｉｎｆｏｒｍａｔｉｏｎ Ｐｒｏｖｉｄｅｒ）サービス、ネットワークサービス、および電子商取引（ＥＣ）、の三つに大別される。ＩＰサービスは、利用者に相当の情報提供費を課金し、利用者が必要とする多数の情報を提供するサービスである。ネットワークサービスは、多数の利用者がネットワークを介して同時にオンラインゲームを行えるようにするサービスである。電子商取引サービスは、企業と個人との間、或いは企業間で、ネットワークを介した商品またはサービスの売買を可能とするサービスである。
【０００５】
このように分類されるインターネットサービスの中でも、最近、コンピュータ端末機を介した電子商取引が最も脚光を浴びており、電子商取引に関する多くの新しいアイテムが続々と開発されている。
【０００６】
ところが、これまでに、有名芸能人または著名人などのサイン券は、インターネットを介したオンラインまたはオフラインでの電子商取引を用いて公開的に売買されてはいない。さらに、従来のサイン券は個人的好みによる収集対象として利用されているだけである。
【０００７】
このようなサイン券は、有名芸能人や著名人などに直接会うことにより、或いは別の人脈などを介して獲得できるが、サイン券を手に入れたい人の数に比べ、与えようとする有名人の数は限定されているため、獲得に比較的多くの時間と努力を要するという欠点がある。
【０００８】
また、サインのコレクター（サイン収集家）は、サインをもらうための別途の署名紙を用意しておくのではなく、一般的な紙または衣服などの一部にサインをもらうから、時間が経つと、紙や衣服が変色したり毀損したりするおそれがある。従って、原型保存のための保管上の問題点も提起されている。
【０００９】
その上、署名する立場の有名芸能人や著名人などが大衆の中で短時間に多くの署名を行うことにより、それだけサイン券の価値が下落し、偽造のおそれがあるうえ、金銭的価値も落ちるという問題点があった。
【００１０】
発明の開示
本発明は、上記した従来の問題を鑑みてなされ、インターネットを介した真正サインの取引システムおよび方法を提供することを目的とする。この目的は、（１）インターネットに接続されたＷｅｂサーバと、サイン券の申込み情報及び様々なサイン書式が格納された複数のデータベースとを運営管理するサービス提供者、（２）前記サービス提供者のＷｅｂサーバにアクセスし、申込み受付中のサイン券を注文し、注文したサイン券に対する代金を支払うサービス利用者、（３）前記サービス提供者によって流通されるサインを署名し、所定の手数料を受け取る署名提供者、によって達成される。
【００１１】
上記目的を達成するために、本発明は、複数のウェブページを表示するウェブブラウザ（１０１）と、会員ＩＤやパスワードなどのクライアント識別情報（１０２）と、インターネット接続手段とを備えたクライアントシステム（１００）と、前記クライアントシステム（１００）とインターネットを介して接続されると共に、サイン券注文書式を含む複数のウェブページ（２０１）と、前記クライアントシステム（１００）によって要求されたハイパーテキスト転送プロトコル情報に応じた適切なウェブページ（２０１）を選択し伝送するサーバエンジン（２０２）と、クライアントシステム（１００）がサーバエンジン（２０２）に接続されクライアント識別情報（１０２）がクライアントシステム（１００）により要求されたときに様々な形式で送信可能な情報入力書式（２０３）と、前記サーバエンジン（２０２）の駆動により各種情報の組み合わせ及び抽出を行う複数のデータベース（２０４）〜（２０７）とを含むサーバシステム（２００）とを備えた、インターネットを用いた認証サイン券取引システムである。
【００１２】
前記サービス提供者が、有名芸能人や著名人から複数のサイン券を確保し、ウェブサーバへ接続されたサービス利用者へ限られた枚数のサイン券を提供し、申込みがされたサイン券を、公平な抽選または先着順にサービス利用者へ割当て、割当てられたサービス利用者の支払いを確認した後に、対応するサイン券を、郵送または宅配サービスにより、割当てられた利用者へ配送することが好ましい。
【００１３】
このとき、サービス利用者は、サービス提供者のウェブサーバへアクセスして会員としてサインアップした後にのみ、サイン券の申込みへ参加する条件を満たし、サービス提供者のウェブサーバにより提供されるウェブページを介して、サイン券への申込みをし、割当て結果を確認し、利用者の申込み条件を変更することができるものとしても良い。
【００１４】
サービス提供者のウェブサーバは、ウェブサーバへインターネットを介してアクセスし、ウェブサーバへ会員としてサインアップするサービス利用者の個人情報を、ウェブページ上の会員情報入力書式を用いて、会員情報データベースへ格納する。さらに、サーバシステムは、特定のクライアント識別子を、インターネットを介したサービス利用者の各クライアントシステムへ割当てる。
【００１５】
サーバシステムは、様々な潜在的サービス利用者からの具体的な購入者注文情報を、申込みサイン券データベースへ格納し、前記具体的な購入者注文情報は、サービス利用者によって予めなされるサイン券注文情報から収集するようにしても良い。
【００１６】
サービス利用者がサーバ提供者のサーバシステムにおいてサイン券の購入を希望したとき、サービス利用者は、クライアント識別子（ＩＤ）および購入しようとするサイン券の説明または写真を要求するためのリクエスト情報を、クライアントシステムを介してサービス提供者へ送信する。
【００１７】
そして、サーバ提供者のサーバシステムは、サービス利用者からのクライアント識別子情報を確認し、そのサービス利用者が会員であると確認されたら、そのサービス利用者がサイン券の申込みに参加できるか否かを判断する。
【００１８】
その利用者がサイン券の申込みに参加できる場合、サーバシステムは、要求された情報を、サイン券の注文指示と共に、ウェブページ形式により、サービス利用者のコンピュータのウェブブラウザへ送信する。
【００１９】
上述したように、サービス利用者は、ウェブブラウザへ送信された情報によりデータベースに格納された様々なサイン券情報を読み、特定のサイン券の注文または申込みをする。そして、サービス利用者のクライアントシステムは、注文されたサイン券に対応するサイン券注文情報を、サーバシステムへ送信する。
【００２０】
このようにして、サービス提供者のサーバシステムは、利用者により書かれた具体的な注文情報、すなわち、サイン券の特定およびその枚数、受取人、およびサイン券注文情報を、クライアント識別子に追加することにより、注文を完了する。
【００２１】
本発明にかかるインターネットを用いた認証サイン券取引システムおよび方法によれば、サービス提供者は有名芸能人や著名人のサイン券を、偽造を防止するための特殊な紙に作成し、限定された枚数のみのサイン券を登録されたサービス利用者へインターネットを介して提供することにより、サイン券の質と需要によってそのサイン券に金銭的価値を与える。
【００２２】
この発明の前記及び他の目的、特徴及びその他の利点は、添付図面を参照する次の説明によって明確に理解されるであろう。
【００２３】
発明を実施するための最良の形態
図６は、本発明のシステム構成を示すブロック図である。本発明のシステム構成は、図６を参照すると、本発明のインターネットを用いた認定サイン券取引システムは、サービス利用者のクライアントシステム１００と、サービス提供者のサーバシステム２００とを備えている。クライアントシステム１００は、Ｗｅｂブラウザ１０１と利用者の識別情報１０２とを含む。サーバシステム２００は、インターネットを介してクライアントシステム１００と連動し、多数のＷｅｂページ２０１、サーバエンジン２０２、様々な情報入力書式２０３、及び多数のデータベース２０４〜２０７を含む。
【００２４】
前記クライアントシステム１００のＷｅｂブラウザ１０１は、サーバシステム２００から伝送される様々なＷｅｂページ２０１を表示し、前記利用者の識別情報１０２は、サーバシステム２００で認証されたサービス提供者の会員ＩＤとパスワードとを含んでいる。
【００２５】
また、サーバシステム２００のサーバエンジン２０２は、ＵＲＬ情報によって識別されるサーバシステム２００のＷｅｂページ２０１にアクセスするためのＨＴＴＰリクエストをクライアントシステム１００から受信し、前記サーバシステム２００に接続されている多数のクライアントシステム１００のＷｅｂブラウザ１０１のそれぞれを介して、様々なＷｅｂページ２０１を表示する。
【００２６】
また、サーバシステム２００の各種情報入力書式２０３は、サービス利用者がクライアントシステム１００のＷｅｂブラウザ１０１を介して会員ＩＤとパスワードを入力するための欄を有する。さらに、情報入力書式２０３は、サービス利用者の氏名、年齢、職業などの基本情報の入力を要求する。サーバエンジン２０２によって認証されるクライアント識別情報１０２が要求されると、様々な情報入力書式２０３が、クライアントシステム１００のＷｅｂブラウザ１０１に表示される。
【００２７】
前記サーバエンジン２０２の駆動によって各種情報の組み合わせ及び抽出を行うデータベースは、会員情報データベース２０４と、サイン券データベース２０５と、応募者データベース２０６と、共同注文データベース２０７とを含む。会員情報データベース２０４は、利用者がサーバシステム２００にアクセスしてクライアント識別情報１０２を送信したときに、そのサービス利用者の基本的な個人情報とクライアント識別情報１０２とを格納する。サイン券データベース２０５は、クライアントシステム１００のＷｅｂブラウザ１０１に伝送される様々なＷｅｂページ２０１を介して取得可能な、申込み受付中あるいは受付終了済みのサイン券の情報を、提供および格納する。応募者データベース２０６は、サーバシステム２００を介してサイン券データベース２０５の検索を行い、検索された情報によって申込み注文を行ったクライアントの情報を格納する。共同注文データベース２０７は、サイン券の登録有無に従ってクライアントシステム１００から共同申込注文を受信し、その共同注文情報を格納する。
【００２８】
このような構造を有するクライアントシステム１００とサーバシステム２００は、インターネットを介して相互接続される。まず、クライアントシステム１００がサーバシステム２００と最初に交信を行ったときに、サーバシステム２００は、そのクライアントシステム１００へ、クライアント識別情報１０２を割り当てて伝送する。それ以後、クライアントシステム１００は、サーバシステム２００に伝送される全てのメッセージに、前記クライアント識別情報１０２を挿入する。これにより、サーバシステム２００は、クライアントシステム１００から伝送されるメッセージの送信元を識別できることになる。
【００２９】
図７は本発明の申込み注文過程を示す流れ図である。図７を参照すると、本発明のインターネットを用いたサイン券取引システム及びその方法は、まず、サービス利用者が、インターネット接続手段を備えたコンピュータ端末機でＷｅｂブラウザ１０１を稼動させ、ＷｅｂブラウザのＨＴＴＰリクエストに応じてＷｅｂブラウザ１０１上でＵＲＬアドレスを入力すると、サービス利用者のコンピュータ端末器がサービス提供者のＷｅｂサーバに接続され（ステップＳ１００）、サービス提供者のホームページがＷｅｂブラウザに表示される。
【００３０】
この際、クライアント識別情報１０２が、Ｗｅｂブラウザ１０１に表示されたＷｅｂ頁の利用者識別情報欄に入力されてサービス提供者に送信されるので、サーバシステム２００はこのクライアント識別情報１０２を確認し、その利用者が会員加入しているか否かを判断する（ステップＳ１０１）。そして、会員加入していると判断されると、サーバシステム２００で認証された識別情報１０２をＣＧＩプログラムに伝送する（ステップＳ１０２）。
【００３１】
一方、利用者のクライアント識別情報１０２が認証されなかった場合は、サーバシステム２００から提供される情報入力書式２０３に、利用者の会員ＩＤ、パスワード、及び基本的な会員情報を入力することにより、会員加入手続きを行う（ステップＳ１０３）。そして、その利用者は、サーバシステム２００から認証を受ける。利用者の基本的な会員情報は、サーバシステム２００の会員情報データベース２０４に格納される（ステップＳ１０４）。
【００３２】
このように利用者がサーバシステム２００により認証されると、各クライアントシステム１００のＷｅｂブラウザ１０１に、複数の提供サイン券情報が要約されている応募ページを表示する（ステップＳ１０５）。サービス利用者がＷｅｂブラウザ１０１の応募ページ上でマウスをクリックすることにより署名者を選択すると、その署名者の個人情報が表示される（ステップＳ１０６）。
【００３３】
また、サーバシステム２００は、ステップＳ１０６において署名者情報がクライアントシステム１００によって確認されると、複数のサイン券書式をクライアントシステム１００のＷｅｂブラウザ１０１に伝送して表示する（ステップＳ１０７）。そして、クライアントシステム１００は、前記複数のサイン券書式の中から、所望のサイン券書式を選択する。
【００３４】
上述したように、クライアントシステム１００によってサイン券書式が選択されると、サーバシステム２００は、その利用者はサイン券の注文が可能であることを表すフラグ指示を生成し、情報入力書式２０３の配送情報入力書式を表示し、クライアントシステム１００に対して配送地域情報の入力を要求する（ステップＳ１０８）。
【００３５】
利用者がサイン券を注文しようとして、前記配送情報入力書式に入力された配送地域情報とクライアントシステム１００のクライアント識別情報１０２とがサーバシステム２００に伝送されると、サーバシステム２００は、クライアントシステム１００から、再度、クライアント識別情報１０２を再度受信する。このとき、利用者が応募者として最終確認されると、サーバシステム２００は、応募注文の内容を利用者が確認できるように、この応募注文内容をＷｅｂブラウザ１０１に表示する（ステップＳ１０９）。そして、応募注文内容は、サイン券データベース２０５に格納される（ステップＳ１１０）。
【００３６】
図８は、本発明において、応募注文が完了した後のサイン券の割当ておよび発送の手続を示す流れ図である。図８を参照すると、本発明のサイン券取引システムでは、図７に示すように、クライアントシステム１００からサーバシステム２００のサイン券応募注文が行われると、サーバシステム２００はクライアントシステム１００に関わる具体的な注文情報（サイン券を特定した応募注文、注文数、または受取人情報など）を統合して、注文情報の生成を完了する。
【００３７】
このように、各クライアントシステム１００からの注文情報は応募者データベース２０６に格納される。そして、格納された応募者情報に基づいて申込みサイン券の割当てを行う（ステップＳ２００）。
【００３８】
申込みサイン券の割当ては、抽選式（ステップＳ２０１）または先着順（ステップＳ２０２）などの方法で行われる。サイン券の申込数が募集予定数量に至らなければ、申込数量分のみのサイン券が製作される。
【００３９】
抽選式または先着順による割当て方式が決定されると、該当サイン券を選択した第１位のクライアントシステム１００のクライアント情報を、応募者データベース２０６から抽出することにより、そのクライアントシステム１００を第１位配当者として優先的に選択する（ステップＳ２０３）。そして、選択された第１位配当者のリストを、サーバシステム２００のＷｅｂページ２０１を介してＷｅｂサイト上に掲示するとともに、このリストをクライアントシステム１００に伝送し、割当て結果を電子メールによって各クライアントシステム１００へ通知する（ステップＳ２０４）。
【００４０】
この際、サーバシステム２００は、クライアントシステム１００に、申し込んだサイン券の数に応じた金額の支払いを要求し（ステップＳ２０５）、サービス提供者所有のデータベースまたは金融機関のコンピュータ網を介して、クライアントシステムからの入金を確認する（ステップＳ２０６）。
【００４１】
第１位配当者からの支払いが確認されると、サービス提供者は、会員情報データベース２０４に格納された基本会員情報と応募者データベース２０６に格納された具体的な応募注文情報とを組み合わせて得られる情報に基づいて、第１位配当者（サイン券応募勝者）へ、該当のサイン券を郵便または所定の配送手段にて配送する（ステップＳ２０７）。
【００４２】
ところが、ステップＳ２０６において、第１位配当者からの支払いが所定期日までに確認されなければ、第２位の応募者に第２位配当の機会が与えられることになる（ステップＳ２０８）。そして、サーバシステム２００は、割当て結果を表示および通知するステップＳ２０４から、残りのステップＳ２０５〜Ｓ２０７までの処理を、繰り返す。
【００４３】
図９は、本発明の共同注文手続を示す流れ図である。図９に示すように、各クライアントシステム１００を操作するサービス利用者が、サービス提供者のサーバシステム２００に接続し、Ｗｅｂブラウザ１０１を介してクライアント識別情報１０２をサーバシステム２００へ送信することにより、ログイン手続きを行う（ステップＳ３００）。このとき、サービス利用者がサーバシステム２００に対してＷｅｂページ２０１の伝送を要求すれば、サーバシステム２００は多数のＷｅｂページ２０１から選択された共同注文申込書式を抽出し、クライアントシステム１００のＷｅｂブラウザ１０１上に、前記抽出した共同注文申込書式を表示する（ステップＳ３０１）。
【００４４】
この際、前記ログイン情報は、クライアントシステム１００から最初に送信されたクライアント識別情報１０２によって確認することができる。図７の応募注文手続によってログインされたクライアントシステム１００では、サーバシステム２００へのログイン手続きを省略することができる。
【００４５】
サービス提供者は、サーバシステム２００によってＷｅｂブラウザ１０１上で提供される共同注文申込書式に、各クライアントシステム１００から提供された人物、またはサービス提供者によって定められた署名の提供者の個人情報を登録する（ステップＳ３０２）。そして、サービス提供者は、クライアントシステム１００に、共同注文書式の作成を要求する（ステップＳ３０３）。
【００４６】
さらに、サービス提供者は、サーバシステム２００を介して共同注文されたサイン券の個々についての適切な価格や注文期間などを、所定の共同注文状況ウィンドウ上で登録して（ステップＳ３０４）、共同注文登録を完了する（ステップＳ３０５）。
【００４７】
前記サイン券の共同注文は、登録されたサイン券の注文数が一定枚数を超えた場合にのみ、有効とされ募集対象として選択される。一定の期間が経過しても共同注文数が少ない場合には、共同注文は受け付けられないこともある。
【００４８】
また、少数人が大量注文をすることによってサイン券が無分別に発行される弊害を防止するために、一人当たりの注文数を限定することにより、利用者が所定の枚数（例えば、サイン券３枚）以上の注文ができないようにすることが好ましい。
【００４９】
図１０は、本発明の共同注文サイン券の配送手続を示す流れ図である。図１０に示すように、共同注文サイン券の配送手続では、クライアントシステム１００は、まず、各クライアントシステム１００のログイン情報に従ってサイン券の共同注文を行い（ステップＳ４００）、次に、共同注文データベース２０７に格納された情報によって共同注文の内容を確認する（ステップＳ４０１）。
【００５０】
この際、クライアントシステム１００のＷｅｂブラウザ１０１には、共同注文データベース２０７から送られた共同注文結果が表示され（ステップＳ４０２）、クライアントシステム１００が、サイン券共同注文の内容を照会する（ステップＳ４０３）。
【００５１】
共同注文されたサイン券の配送手続は、前述した一般サイン券の配送手続と同一の手順で行われる。つまり、共同注文に対するサイン券発行が決定されると、サーバシステム２００を介して、各クライアント識別情報１０２をサービス提供者のＷｅｂサイトに掲示し、結果を電子メールサービスによりクライアントシステムへ通知する（ステップＳ４０４）。サービス利用者が注文申込金を入金すると（ステップＳ４０５）、サーバシステム２００が、コンピュータシステムによる入金を確認し（ステップＳ４０６）、注文されたサイン券をサービス利用者へ配送する（ステップＳ４０７）。
【００５２】
なお、本発明のサイン券取引システムおよび方法によれば、サービス利用者が、クライアントシステム１００により、応募注文の確認および変更をすることが可能である。このような応募注文の変更は、応募内容が表示されたＷｅｂページ上で応募条件を変更することによって行うことができ、Ｗｅｂページに表示される応募注文変更の書式は、図４に示された応募書式と同一あるいは同様に構成することができる。
【００５３】
このように、利用者が応募条件を変更する場合、図１に示すように指定された募集期間が経過した後は、利用者が条件を変更できないようにすることが好ましい。
【００５４】
また、サービス提供者は、サーバシステム２００の様々なＷｅｂページ２０１と多数の情報入力書式２０３を介して、サービス利用者が市中で流通されるサイン券の個人間売買ができるようにするための競売（オークション）または逆競売（逆オークション）方法を用いた売買取引ウィンドウと、サービス利用者が発行されたサイン券の時価を見られる時価表示欄とを別途に構成し、各クライアントシステム１００から自由なサイン券の取引を行えるようにすることができる。
【００５５】
図１ないし図５は、本発明の一実施例に係るＷｅｂページの画面を示す図である。図１は、提供可能なサイン券の情報を表示した要約画面の図、図２は、サービス利用者の応募情報を示した応募確認画面の図である。
【００５６】
図１及び図２に示すように、本発明のＷｅｂページは、サービス利用者がサービス提供者のＷｅｂサーバに接続し、応募中のサイン券に対する「詳細表示」のボタンを選択した場合に、サーバシステムからサービス利用者へ提供されたものである。
【００５７】
本発明の実施形態によれば、Ｗｅｂページ１０は、Ｗｅｂページ１０の上部に設けられた署名者区分欄１１と、多数のブロックに分けられた表からなる要約説明欄１２とを含んでなる。
【００５８】
前記署名者区分欄１１は、芸能人、スポーツ選手、政治家、財界人、文化人などの様々な階層および職業に分けられ、サービス利用者のマウス動作によって選択できるように構成される。
【００５９】
また、前記要約説明欄１２では、サービス利用者によって応募されるサイン券が区別され、サイン券情報が提供される。また、署名者名、総発行数、各サイン券の金額、または割当て方法などの情報を表示することにより、利用者が各応募サイン券の募集進行状況を一目で確認できるようにする。
【００６０】
サービス利用者が、前記要約説明欄１２中の所望の署名者に対する応募欄１３をマウスでクリックすると、図２の署名者情報２１が表示され、応募者のクライアント識別情報２０がＷｅｂブラウザ上に表示される。
【００６１】
この際、Ｗｅｂページ１０の署名者欄１１および要約説明欄１２は、様々な様式に省略、配置替え、または追加することが可能である。
【００６２】
前記クライアント識別情報１０２は、サービス利用者がサービス提供者のサーバシステムに最初に接続したときに入力したクライアント識別子（ＩＤ）、すなわち会員ＩＤとパスワードを含む。会員ＩＤと応募者名は、一般的な会員情報としてＷｅｂブラウザ上に表示される。
【００６３】
また、応募情報２１は、サービス利用者によって募集欄１３から選択された署名者情報として提供される。サービス利用者が、画面の片側の「追加」ボタンをクリックすると、図１のＷｅｂページ１０が再び表示され、前記図１と図２の画面が交互に表示される。
【００６４】
この際、サービス利用者が画面下端の確認ボタン２２をクリックすると、サービス利用者が次の応募注文修正のための別途の措置を取らない限り、利用者により選択されたサイン券の注文が完了される。
【００６５】
次に、図３は応募されたサイン券の様式を表示するサイン券書式の画面を示す図である。図３を参照すると、本発明の実施形態では、画面の上部に多数のサイン券書式３１が表示され、利用者がそれらのサイン券書式３１のいずれか一つをクリックすると、クリックされたサイン券書式は、拡大されたサイン券３２として表示される。
【００６６】
拡大されたサイン券３２は、プリント用紙３２上のサイン欄３３と、その右側のサイン確認欄３４とを含んで構成される。
【００６７】
前記サイン券３２は、偽造を防止するために、紙幣のような特殊用紙で製作される。前記サイン欄３３に有名人が署名し、サインが真正であることを認証できる認証機関または有力者によるサインがサイン確認欄３４に添付されることもある。
【００６８】
この際、前記サイン券３２は、サイン欄３３のサインの毀損または変色を防ぐために、サイン券全体または署名欄の一部をコートした状態でサービス利用者に提供することができる。また、前記サイン券３２の直筆署名に対するサービス利用者の信頼度を向上させるために、別途のアプリケーションプログラムで実行される動画像として、署名者がサインをする場面を表示する画面を提供するようにすることもできる。
【００６９】
図４は、本発明における、サービス利用者情報を表示するための応募書式画面の図である。図４を参照すると、この応募書式は、応募者欄４１、配送情報欄４２及びコメント入力欄４３を含む。
【００７０】
前記応募者欄４１は、前記図２で確認された応募者のクライアント識別子を再び検索して確認するために用いられる。サービス利用者は、署名者を確認し、配送情報欄４２に、所望のサイン券枚数とサイン券を配送するための地域情報の入力を行う。
【００７１】
この際、前記配送情報欄４２に入力される地域情報は、サービス提供者のデータベースに登録されたサービス利用者の基本情報から導出しても良い。サイン券の受取人がサービス利用者以外の人に変更された場合、配送情報を修正し得るように構成することができる。
【００７２】
また、サービス利用者が特定の受取人を指定して配送を所望する場合、サービス利用者はコメント入力欄４３に別途のメッセージを入力し、サービス提供者は入力されたコメントをサイン券に同封して配送する。
【００７３】
このようにサービス利用者が前記配送情報欄に応募注文情報を入力し、「確認」をクリックすると、クライアントシステムは、図３に示すサイン券の注文要求メッセージをサーバシステムに送信する。サーバシステムは、応募注文情報を受信して、サイン券応募注文の受付を確認する新しいＷｅｂページをクライアントシステムに送信する。
【００７４】
図５は、前記のような応募が完了した状態において得られる応募注文情報の説明を表示する画面の図である。図５に示すように、本実施形態の応募注文情報用のＷｅｂページには、応募番号と最終的な応募者の情報を提供する応募者確認欄５１と、応募したサイン券の情報を提供する応募確認欄５２と、サービス提供者の口座を表示する領収（ｒｅｃｅｉｐｔｓ）情報欄５３と、割当て者への通知を行う募集案内欄５４が、順次表示される。
【００７５】
前記応募者確認欄５２は、サービス利用者に、サイン券応募注文の再検討及び変更の機会を提供するために用いられる。
【００７６】
また、前記領収情報欄５３では、サービス提供者のオンライン送金用の基本口座だけでなく、クレジットカード決済、電子貨幣またはサイバー通帳などを含む各種決済手段が利用できる。
【００７７】
以上述べたように、本発明は、インターネットを介してサービス提供者のＷｅｂサーバに接続されたサービス利用者が、現存する有名人の申込み受付中のサイン券を注文し、サービス提供者が、注文されたサイン券を偽造不可能に製作し、サービス利用者に所定の金額を請求した後、そのサービス利用者へサイン券を配送するための、認証サイン券の取引システムおよび方法を提供する。これにより、紙幣のような精密プリント紙に署名されたサイン券が価値と商品性を得られるようにするとともに、サイン券に金銭的価値を与えるので、サイン券が個人的なプレゼントまたは収集対象として利用されるようになる。
【００７８】
また、本発明のシステム及び方法は、娯楽産業の発達に伴って有名人又は著名人は絶えず存在することにより、サイン券の発行による潜在的市場性が無限大であるという利点がある。
【００７９】
以上、本発明を好適な実施形態を説明のために開示したが、請求の範囲に開示された本発明の精神と範囲から逸脱することなく、本発明の様々な変更、追加及び置換が可能であることを、当業者なら理解するであろう。
【図面の簡単な説明】
図１ないし図５は本発明の一実施例に係るＷｅｂブラウザの構成を示した図で、図１は申込み可能なサイン券情報が示された要約画面の構成図、図２はサービス利用者の応募情報が示された応募確認画面の構成図、図３は応募されたサイン券の様式が示されたサイン券書式の構成図、図４は本発明を用いたサービス利用者の応募申込書の構成図、図５は応募受付済み状態の応募注文情報の説明書である。
図６は本発明のシステム構成を示したブロック図である。
図７は本発明の一般的な応募注文過程を示した流れ図である。
図８は応募注文済み後のサイン券の割当てと発送手続を示した流れ図である。
図９は本発明の共同注文手続を示した流れ図である。
図１０は本発明の共同注文サイン券の配送手続を示した流れ図である。
【図１】
2004505382.tif 000003
【図２】
2004505382.tif 000004
【図３】
2004505382.tif 000005
【図４】
2004505382.tif 000006
【図５】
2004505382.tif 000007
【図６】
2004505382.tif 000008
【図７】
2004505382.tif 000009
【図８】
2004505382.tif 000010
【図９】
2004505382.tif 000011
【図１０】
2004505382.tif 000012
【国際公開パンフレット】
2004505382.tif 000013
2004505382.tif 000014
2004505382.tif 000015
2004505382.tif 000016
2004505382.tif 000017
2004505382.tif 000018
2004505382.tif 000019
2004505382.tif 000020
2004505382.tif 000021
2004505382.tif 000022
2004505382.tif 000023
2004505382.tif 000024
2004505382.tif 000025
2004505382.tif 000026
2004505382.tif 000027
2004505382.tif 000028
2004505382.tif 000029
2004505382.tif 000030
2004505382.tif 000031
2004505382.tif 000032
2004505382.tif 000033
2004505382.tif 000034
2004505382.tif 000035
2004505382.tif 000036
2004505382.tif 000037
2004505382.tif 000038
2004505382.tif 000039
2004505382.tif 000040
2004505382.tif 000041
2004505382.tif 000042
2004505382.tif 000043
2004505382.tif 000044
2004505382.tif 000045
2004505382.tif 000046
2004505382.tif 000047
2004505382.tif 000048
2004505382.tif 000049
2004505382.tif 000050
2004505382.tif 000051
2004505382.tif 000052
2004505382.tif 000053
【国際公開パンフレット（コレクトバージョン）】
2004505382.tif 000054
2004505382.tif 000055
2004505382.tif 000056
2004505382.tif 000057
2004505382.tif 000058
2004505382.tif 000059
2004505382.tif 000060
2004505382.tif 000061
2004505382.tif 000062
2004505382.tif 000063
2004505382.tif 000064
2004505382.tif 000065
2004505382.tif 000066
2004505382.tif 000067
2004505382.tif 000068
2004505382.tif 000069
2004505382.tif 000070
2004505382.tif 000071
2004505382.tif 000072
2004505382.tif 000073
2004505382.tif 000074
2004505382.tif 000075
2004505382.tif 000076
2004505382.tif 000077
2004505382.tif 000078
2004505382.tif 000079
2004505382.tif 000080
2004505382.tif 000081
2004505382.tif 000082
2004505382.tif 000083
2004505382.tif 000084
2004505382.tif 000085
2004505382.tif 000086
2004505382.tif 000087
2004505382.tif 000088
2004505382.tif 000089
2004505382.tif 000090
2004505382.tif 000091
2004505382.tif 000092
2004505382.tif 000093
2004505382.tif 000094
【国際調査報告】
2004505382.tif 000095
2004505382.tif 000096